(57)【要約】【課題】操作つまみ軸の水平移動をアームに設けられたカム面によりアームの回転力に変え、前記操作つまみ軸を第１の位置から中間部のある所定位置まで移動させるとキックばねにより急激に第２の位置まで移動せしめる切換装置に関し、前記操作つまみが、本来停止しては成らない中間部において停止し、使用者の意に反した状態に装置の動作状態がおかれることを除去する。【解決手段】前記アーム２が前記所定の位置Ｙ近傍まで移動された際、前記カム面Ａが、前記操作つまみ軸１とカム面Ａとの摩擦が小さくなるようにねじれ変形することにより、、操作つまみ軸１とカム面Ａの間、アーム２と軸５の間およびキックばね２と軸７の間の摩擦の合計とキックばね２の弾性反力とがつり合い、本来静止しては成らない中間位置に操作つまみ軸１が停止することを軽減除去する。【選択図】  図１
2004185382.tif 000002
【特許請求の範囲】
【請求項１】
操作者により直線上を可逆的に移動される操作つまみ軸と、一端に作用軸を、他端部に摺動カムを有する回転可能なアームと、前記アームが予め定められた所定の位置まで回転される間は、そのアームの回転を拒む方向に弾性反力をアームに与え、前記所定の位置を越えた時には、前記アームの回転を助ける方向に弾性反力をアームに与えるキックばねとを具備し、前記摺動カムは、前記操作つまみと接し、その動きを前記アームの回転力に変換するカム面を有する切換装置において、前記アームが前記所定の位置近傍まで移動された際、前記カム面が、前記操作つまみ軸とカム面との摩擦が小さくなるように変形することを特徴とする切換装置。
【請求項２】
前記アームが前記所定の位置近傍まで移動された際、前記カム面は、前記操作つまみ軸との接触面積が小さくなる方向に、ねじれ変形することを特徴とする請求項１記載の切換装置。
【請求項３】
前記カム面は、一端が前記アームに固定され、他端が遊端となるリブの一面で構成され、前記リブは、一側縁のみ支持部材により前記アームに連結されていることを特徴とする請求項１記載の切換装置。
【発明の詳細な説明】
【０００１】
【発明の属する技術分野】
本発明は、第１の位置と第２の位置の間を直線的に可逆移動可能な操作つまみの操作により、前記操作つまみを前記第１の位置から中間部のある所定位置まで移動させると急激に前記第２の位置まで移動し、装置を第２の状態にし、その状態から操作つまみを反対に前記第１の位置に向けてある所定の位置まで移動させると、急激に第１の位置に復帰せしめて、装置を元の第１の状態にする切換装置に関するもので、特に、前記操作つまみが、本来停止しては成らない中間部において停止し、使用者の意に反した状態に装置の動作状態がおかれることを軽減除去する具体的手段を提供するものである。
【０００２】
【従来の技術】
従来より、この種の切換装置としては、図５ないし図８に示す構成のものがある。これらの図において、２は一端部に後述の構成よりなる互いに対向したカム面Ａとカム面Ｂとを有する摺動カム６を有し、他端部に作用軸４を有する略Ｌ字状のアームであり、その屈曲部において軸５により基板（図示せず）に回転可能に支持されている。
３は一端が前記軸５に平行な軸７により回転可能に前記基板に支持されたキックばねであり、その他端は前記アーム２に形成された係合突起部２ａに係止されている。１は図面において水平方向に操作者によりスライドされる操作つまみの軸であり、操作時に前記摺動カム６のカム面Ａ、カム面Ｂのいずれかに圧接するものである。
図５は操作つまみ軸１が第１の位置Ｘにあり、作用軸４が第３の位置Ｌにあって装置の第１の状態を示している。この第１の状態から、操作つまみ軸１を矢印方向に移動せしめると、この操作つまみ軸１にカム面Ａが押されて前記アーム２は軸５を中心にキックばね３をさらに圧縮させながら時計方向に順次回転する。すなわち、前記カム面Ａは、操作つまみ軸１の進行方向に対して傾斜しており、操作つまみ軸１の移動に伴って、アーム２に時計方向の回動力が加わるように構成されている。
図６は操作つまみ軸１が中間部Ｙまで移動され、前記作用軸４が第４の位置Ｍに移動された状態を示している。この状態より操作つまみ軸５を、さらに少し移動させると、さらにアーム２が回動し、前記キックばね３がアーム２により下方に引かれて、軸７を中心に反時計方向に回転する。このキックばね３が回転すると、キックばね３の弾性反力が、今までとは逆にアーム２を時計方向に回転するように働き、アーム２はこの弾性反力により、急激に図７に示す最終位置である第５の位置Ｎまで回転し、操作つまみ軸１は第２の位置Ｚに移動する。なお、このキックばね３の弾性反力による回転時には、操作つまみ軸１とカム面Ａ間の摩擦を少なくするように、操作つまみ軸１の進行方向に対して、略略垂直になるようカム面Ａの形状が構成されている。
この図７に示す第２の状態より、元の第１の状態に戻すには、操作つまみ軸１を、矢印方向に移動させると、操作つまみ軸１は前記カム面Ａの反対側のカム面Ｂを押圧し、この押圧力によりアーム２はキックばね３を圧縮しながら反時計方向に回動される。すなわち、このカム面Ｂは、操作つまみ軸１に対して傾斜した面に形成されている。
アーム２が反時計方向に回動し、図６に示す作用軸４が第４の位置Ｍに至り、この状態から、さらに操作つまみ軸１が移動されると、キックばね３が軸７を中心に時計方向に回動し、この回動に伴って、キックばね３の弾性反力がアーム２を反時計方向に回動するように働き、この結果、操作つまみ軸１は、この弾性反力に助けられて図５に示すもとの第１の位置Ｘに復帰する。
【０００３】
【特許文献１】
特開平９−１３９１５８号公報
【０００４】
【発明が解決しようとする課題】
しかしながら、前述のような構成においては、操作つまみ軸１が中間部近傍まで移動された際には、キックばね３の弾性反力が最大となり、また、操作つまみ軸１とカム面ＡまたはＢの間、アーム２と軸５の間およびキックばねと軸７の間の摩擦も最大となり、前記摩擦の合計とキックばね３の弾性反力とがつり合う点が発生し、本来静止しては成らない中間位置に操作つまみ軸１が停止してしまい、装置が第１の状態でも第２の状態でもない状態に成ってしまうことがあった。
【０００５】
【課題を解決するための手段】
本発明の請求項１に記載の発明は、操作者により直線上を可逆的に移動される操作つまみ軸と、一端に作用軸を、他端部に摺動カムを有する回転可能なアームと、前記アームが予め定められた所定の位置まで回転される間は、そのアームの回転を拒む方向に弾性反力をアームに与え、前記所定の位置を越えた時には、前記アームの回転を助ける方向に弾性反力をアームに与えるキックばねとを具備し、前記摺動カムは、前記操作つまみと接し、その動きを前記アームの回転力に変換するカム面を有する切換装置において、前記アームが前記所定の位置近傍まで移動された際、前記カム面が、前記操作つまみ軸とカム面との摩擦が小さくなるように変形することを特徴とする切換装置であり、前記キックばねのアームに与える弾性反力の方向が切り替わる近傍まで操作つまみ軸が移動された際には、前記キックばねの弾性反力が最大となり、また、操作つまみ軸とカム面の間、アームと軸の間およびキックばねと軸の間の摩擦も最大となり、前記摩擦の合計とキックばねの弾性反力とがつり合う点が発生し、本来静止しては成らない中間位置に操作つまみ軸が停止し、装置が第１の状態でも第２の状態でもない状態に成ってしまうことがあるが、本発明によれば、カム面が変形して、操作つまみ軸とカム面間の摩擦が小さくなるので、前記問題は軽減除去されるものである。
【０００６】
本発明の請求項２に記載の発明は、前記アームが前記所定の位置近傍まで移動された際、前記カム面は、前記操作つまみ軸との接触面積が小さくなる方向に、ねじれ変形することを特徴とする請求項１記載の切換装置であり、操作つまみ軸とカム面との押圧力の増大にともなうカム面のねじれ変形により、簡単な構成で所期の目的が達成できるものである。
本発明の請求項３に記載の発明は、前記カム面は、一端が前記アームに固定され、他端が遊端となるリブの一面で構成され、前記リブは、一側縁のみ支持部材により前記アームに連結され底ことを特徴とする請求項１記載の切換装置であり、本発明の所期の目的を達成するに有効な具体的な構成を提供するものである。
【０００７】
【発明の実施の形態】
（実施の形態）
以下に、本発明の請求項１ないし３に記載された発明の実施形態について、図面を用いて説明する。
図１ないし図３は、それぞれ本発明の実施形態の切換装置の異なる動作状態を示す平面図であり、図４は同切換装置の要部斜視図である。なお、これらの図において前述の従来構成と同一の部位には同一符号を付している。
本実施の形態において、前述の従来構成と異なる点は、摺動カム６の構成にあり、図４に最も明瞭に示されるように、カム面Ａ，Ｂを下端がアーム２に連結した弾性変形可能な板状のリブ９，１０の面で構成するとともに、その一側面において弾性変形可能な支持部材１１，１２によりアーム２に連結しており、これらはアーム２とともに樹脂材により一体的に形成されている。
すなわち、前記リブ９，１０はともにカム面Ａ、Ｂが所定以上の力により押圧されると、リブ９，１０がねじれ、カム面Ａ，Ｂに若干のねじれが生じるように構成されている。
この構成によれば、図１に示す操作つまみ軸１が第１の位置Ｘにおり、装置が第１の状態にある状態から、操作つまみ軸１を矢印方向に移動すると、前述の従来構成と同様に図２の状態に進む。この図２の状態の近傍では、前述のようにカム面Ａに強い押圧力が掛かるため、カム面Ａを構成するリブ９の一側面にのみ設けられた支持部材１１の影響によりリブ９にネジレが生じ、今まで線接触で操作つまみ軸１がカム面Ａに接していたのが、点接触に変化し、その分操作つまみ軸１とカム面Ａとの摩擦力が低下する。
すなわち、前記キックばね３の弾性反力が最大となり、操作つまみ軸１とカム面Ａの間、アーム２と軸６の間およびキックばね３と軸７の間の摩擦も最大となり、前記摩擦の合計とキックばね３の弾性反力とがつり合う点が発生し、本来静止しては成らない中間位置に操作つまみ軸が停止し、装置が第１の状態でも第２の状態でもない状態に成ってしまうことがあるが、前述の構成によれば、カム面Ａが変形して、操作つまみ軸１とカム面Ａ間の摩擦が小さくなるので、前記問題は軽減除去されるものである。
なお、操作つまみ軸１とカム面Ａの間の摩擦が最大となる位置近傍においてのみ、カム面Ａが変形して操作つまみ軸１とカム面Ａ間の接触が線接触より点接触に変化して、摩擦が小さくなるよう構成されている為。常時、点接触にする構成にくらべて機械的強度の低下は少ないものである。
【０００８】
また、操作つまみ軸１が第２の位置Ｚから第１の位置Ｘに帰る際の、カム面Ｂにおいても、同様にリブ１０が支持部材１２の影響によりねじれ変形するものである。
【０００９】
【発明の効果】
以上のように、従来、前記キックばねの弾性反力が最大となり、操作つまみ軸とカム面の間、アームと軸の間およびキックばねと軸の間の摩擦も最大となり、前記摩擦の合計とキックばねの弾性反力とがつり合う点が発生し、本来静止しては成らない中間位置に操作つまみ軸が停止し、装置が第１の状態でも第２の状態でもない状態に成ってしまうことがあるが、本発明によれば、カム面が変形して、操作つまみ軸とカム面間の摩擦が小さくなるので、簡単な構成により、前記問題は軽減除去されるものである。
【図面の簡単な説明】
【図１】本発明の実施の形態における切換装置の平面図
【図２】同切換装置の異なる動作状態における平面図
【図３】同切換装置のさらに異なる動作状態における平面図
【図４】同切換装置の要部斜視図
【図５】従来の切換装置の平面図
【図６】同切換装置の異なる動作状態における平面図
【図７】同切換装置のさらに異なる動作状態における平面図
【図８】同切換装置の要部斜視図
【符号の説明】
１  操作つまみ軸
２  アーム
３    キックばね
４    作用軸
５  軸
６  摺動カム
７  軸
９，１０  リブ
１１，１２  支持部材
Ａ，Ｂ  カム面
【図１】
2004185382.tif 000003
【図２】
2004185382.tif 000004
【図３】
2004185382.tif 000005
【図４】
2004185382.tif 000006
【図５】
2004185382.tif 000007
【図６】
2004185382.tif 000008
【図７】
2004185382.tif 000009
【図８】
2004185382.tif 000010